(57)【要約】  本発明は、複数の柱状部と、シャフトと、を含む化粧品アプリケーターブラシを対象とする。シャフトは、シャフトの外周の周りに複数の開口部分を含み、複数の開口部分は、この外周の周りで、シャフトの半径方向に離間している。複数の柱状部はそれぞれ、毛またはコームを含む。毛またはコームはそれぞれ、突起部を有し、突起部は、それらの間に等しい距離または異なる距離をあけて複数の柱状部に挿入される。シャフトの外周の周りの複数の開口部分の数は、偶数および奇数の両方である。複数の柱状部は、シャフトの開口部分に不規則に挿入されて、化粧品アプリケーターブラシのジグザグ効果を示す。
2020500594.tif 000002
【特許請求の範囲】
【請求項１】
化粧品アプリケーターブラシにおいて、
複数の柱状部と、
シャフトと、
を含み、
前記シャフトは、前記シャフトの外周の周りに複数の開口部分を含み、前記複数の開口部分は、前記外周の周りで、前記シャフトの半径方向に離間しており、
前記複数の柱状部はそれぞれ、毛またはコームを含む、化粧品アプリケーターブラシ。
【請求項２】
請求項１に記載の化粧品アプリケーターブラシにおいて、
前記毛またはコームはそれぞれ、突起部を有し、前記突起部は、それらの間に等しい距離または異なる距離をあけて前記複数の柱状部に挿入されている、化粧品アプリケーターブラシ。
【請求項３】
請求項１に記載の化粧品アプリケーターブラシにおいて、
前記シャフトの前記外周の周りの前記複数の開口部分の数は、偶数および奇数の両方である、化粧品アプリケーターブラシ。
【請求項４】
請求項１に記載の化粧品アプリケーターブラシにおいて、
前記シャフトの前記外周の特定の部分は、いかなる開口部分も、いかなる柱状部も有しない、化粧品アプリケーターブラシ。
【請求項５】
請求項１に記載の化粧品アプリケーターブラシにおいて、
前記複数の柱状部はそれぞれ、同じデザインを有しない、化粧品アプリケーターブラシ。
【請求項６】
請求項１に記載の化粧品アプリケーターブラシにおいて、
前記複数の柱状部は、前記シャフトの前記開口部分に不規則に挿入されて、前記化粧品アプリケーターブラシのジグザグ効果を示す、化粧品アプリケーターブラシ。
【請求項７】
請求項１に記載の化粧品アプリケーターブラシにおいて、
前記シャフトの上部に位置する円錐体をさらに含む、化粧品アプリケーターブラシ。
【請求項８】
請求項１に記載の化粧品アプリケーターブラシにおいて、
前記シャフトの上部は、前記シャフトの端部に向かってテーパー状である、化粧品アプリケーターブラシ。
【請求項９】
化粧品アプリケーターブラシにおいて、
複数の柱状部を含み、
前記複数の柱状部は、化粧品アプリケーターが前記化粧品アプリケーターブラシの半径方向に円形の形状を有するように前記化粧品アプリケーターを形成するよう、積み重ねられ、
前記複数の柱状部はそれぞれ、毛またはコームを含む、化粧品アプリケーターブラシ。
【請求項１０】
請求項９に記載の化粧品アプリケーターブラシにおいて、
前記毛またはコームはそれぞれ、突起部を有し、前記突起部は、それらの間に等しい距離または異なる距離をあけて前記複数の柱状部に挿入されている、化粧品アプリケーターブラシ。
【請求項１１】
請求項９に記載の化粧品アプリケーターブラシにおいて、
前記複数の柱状部はそれぞれ、同じデザインを有しない、化粧品アプリケーターブラシ。
【請求項１２】
請求項９に記載の化粧品アプリケーターブラシにおいて、
前記複数の柱状部は、互いと不規則に積み重ねられて、前記化粧品アプリケーターブラシのジグザグ効果を示す、化粧品アプリケーターブラシ。
【請求項１３】
請求項９に記載の化粧品アプリケーターブラシにおいて、
前記化粧品アプリケーターブラシの上部に位置する円錐体をさらに含む、化粧品アプリケーターブラシ。
【請求項１４】
請求項９に記載の化粧品アプリケーターブラシにおいて、
前記化粧品アプリケーターブラシの上部は、その端部に向かってテーパー状である、化粧品アプリケーターブラシ。
【発明の詳細な説明】
【開示の内容】
【０００１】
〔関連出願〕
本出願は、２０１６年１２月１９日出願の米国仮特許出願第６２／４３５，９１６号：「ＺＩＧＺＡＧ  ＡＮＤ  ＨＹＢＲＩＤ  ＭＡＳＣＡＲＡ  ＢＲＵＳＨ」の優先権を主張し、この仮特許出願は、参照により全体が本明細書に組み込まれるものとする。
【０００２】
〔発明の分野〕
本発明は、化粧品アプリケーターに関する。より具体的には、本発明は、客にとって動作能力が高まるように、横方向突出部を不規則に整列させることができる化粧品アプリケーターブラシに関する。
【０００３】
〔発明の背景〕
さまざまな化粧品が、アプリケーターブラシを用いて塗られており、例えば、主に女性が使用する化粧品の一種であるマスカラがある。アプリケーターブラシは、目の周りに美的センスを示すためにさまざまな色のマスカラをまつ毛に塗るか、または、眼もしくは他の部位に他の化粧品を塗るための、化粧道具である。
【０００４】
例示的なマスカラでは、アプリケーターブラシは、マスカラ液が保管される容器に挿入されるように構成され、容器を開閉するためのノブと、ノブの前端部まで突出する（protruded to）シャフトと、シャフト上に形成されたブラシと、を含む。マスカラは、ノブと容器とを連結させるか、または分離させるプロセスを通じて、マスカラ液をブラシに塗ることによって使用される。
【０００５】
一方、前記のとおり形成されたマスカラブラシは、まつ毛のボリューム（ボリューム：眉がブラシの毛の長さおよび形態に従って豊かに見える効果）、カール（カール：眉の長さが長くなる効果）、身だしなみのよい（clean）（身だしなみのよい：眉が塊にならない効果）などといった、さまざまな機能に適切となるように製造される。マスカラブラシは、粘度のあるマスカラ液をまつ毛に均一に塗り、ブラシによるコーミング機能は、まつ毛が固まらないように優れたものでなければならない。
【０００６】
マスカラブラシの一種の製造品は、複数のディスクを中央で貫通している軸方向シャフトと共に製造されたディスクブラシである。所望の毛の配列を作り出すために、連続したディスクがそれぞれ、前後のディスクと比べて、角度のあるオフセットで配される。角度のあるオフセットを達成するため、幾何学的な断面またはキーが、典型的には、シャフトおよびディスクに同様に組み込まれている。このようなキーのあるシステムは、キーを、毛に対して、各ディスクで異なる量だけオフセットさせることを必要とする。
【０００７】
しかしながら、従来のマスカラブラシ（射出成形されたマスカラブラシ）では、毛の整列は、軸方向シャフトの水平方向および垂直方向の両方で均一であり、軸方向シャフトの水平（または垂直）方向の毛の数は、その製造方法により、常に偶数である。すなわち、毛の整列は限られており、マスカラ液は、十分にブラシにつかない。したがって、従来のマスカラブラシの化粧の出来栄えは、マスカラ液をブラシに十分塗ることができず、それにより化粧の出来栄えが悪くなるので、良くない。
【０００８】
したがって、本発明の目的は、従来のマスカラブラシに比べて化粧の出来栄えが良くなり、ユーザが利用可能なさまざまなデザインを有するように、マスカラブラシを製造する改善された方法を提供することである。例えば、本発明は、色および整列構成が異なるコームならびに毛を備えた柱状部を含む、化粧品アプリケーターを提供する。すなわち、本発明は、ユーザの異なるニーズに基づいて従来の製造方法で製造され得る、「ハイブリッド」および「ジグザグ」型の化粧品アプリケーターを提供する。
【０００９】
〔発明の概要〕
少なくとも１つの実施形態では、本発明は、化粧品アプリケーターブラシを提供し、毛またはコームなど、その横方向突出部の柱状部が、シャフトの開口部分に挿入される。各柱状部では、毛またはコームが、それらの間に等しい距離または異なる距離をあけて離間している。シャフトの開口部分は、シャフトの周辺で、シャフトの半径方向に等しく（または別様に）離間している。各横方向突出部（毛またはコームなど）は、同じ形状／異なる形状の突起部を有し、各柱状部は、各柱状部に挿入される、毛またはコームまたは歯ブラシからなる。
【００１０】
少なくとも１つの実施形態では、本発明は、化粧品アプリケーターブラシを提供し、毛またはコームなど、その横方向突出部の柱状部が、シャフトなしで、互いに積み重ねられる。各横方向突出部は、同じ形状／異なる形状の突起部を有し、各柱状部は、各柱状部に挿入される、毛またはコームまたは歯ブラシからなる。
【００１１】
本明細書に組み込まれ、本明細書の一部を構成する、添付図面は、本発明の現在好適な実施形態を例示し、前記の概要および以下の詳細な説明と共に、本発明の特徴を説明するのに役立つ。
【００１２】
〔発明の詳細な説明〕
図面では、同様の参照符号は、全体にわたり同様の要素を示す。特定の用語が、便宜上本明細書で使用され、本発明に対する制限として理解されるものではない。以下では、本発明の好適な実施形態を説明する。しかしながら、本開示に基づいて、本発明は、本明細書に記載される好適な実施形態によって制限されるものではないことを、理解されたい。
【００１３】
図１を参照して、本発明の第１の実施形態による化粧品アプリケーターブラシ１を説明する。アプリケーターブラシ１は、シャフト３の周りに複数の柱状部２を含む。シャフト３は、シャフト３の外周の周りに開口部分４を有し、開口部分４は、この外周の周りで、シャフトの半径方向に、等しく／別様に離間している。開口部分４の数は、任意の数（偶数および奇数の両方）であってよい。各柱状部２は、毛５またはコーム６からなり、毛５およびコーム６のそれぞれは、各柱状部２に挿入される、突起部７を有する。毛５またはコーム６は、各柱状部２上で、それらの間に等しい距離または異なる距離をあけて、離間している。
【００１４】
ここで、シャフト３は、任意のサイズ、形状（三角形、正方形、円形、楕円形など）、色、材料（プラスチック、金属、複合材など）のものであってよい。さらに、各柱状部２は、サイズ（１〜２０ｍｍ）、形状（三角形、矩形、多角形など）、色（グレー、赤、オレンジなど）、および材料（プラスチック、金属、ナイロン繊維、複合材など）の、コーム、毛、または任意のタイプの突出部からなる。シャフト３に挿入される各柱状部２は、突出部の１つ、２つ、３つ、４つの柱状部である。突起部７のデザインは、図１に示すデザインに制限されない。突起部７のデザインは、各柱状部２にしっかり挿入され得るようなものが好ましい。
【００１５】
複数の柱状部２は、シャフト３の開口部分４に不規則に挿入されて、アプリケーターブラシ１のジグザグ効果を示し、客にとっての動作能力を高める。複数の柱状部２が挿入されないようにシャフトの外周の特定の部分がいかなる開口部分も有さないことが、可能である。例えば、本発明の第１の実施形態による化粧品アプリケーターブラシ１は、ボリュームを出す、カールさせる、長くするなどの効果をもたらす上で、優れている。
【００１６】
化粧品アプリケーターブラシ１は、シャフト３の上部に位置する、円錐体８を含み得る。円錐体８のデザインは、図１に示すデザインに制限されない。円錐体８は、複数の柱状部２がシャフト３から動くのを防ぎ、シャフト３としっかりと整列することを確実にする。円錐体８は、単一物体としてシャフト３と共に製造され得るか、または、組立後に別に製造され得る。
【００１７】
化粧品アプリケーターブラシ１は、円錐体８を含まなくてもよく、また、シャフト３の上部がシャフト３の端部に向かってテーパー状になるように設計されてもよい。
【００１８】
図２を参照して、本発明の第２の実施形態による化粧品アプリケーターブラシ１’を説明する。本発明の第１の実施形態と第２の実施形態との主な違いは、本発明の第２の実施形態がシャフトを有していないことである。アプリケーターブラシ１’は、複数の柱状部２’を含む。複数の柱状部２’は、アプリケーターブラシ１’がアプリケーターブラシ１’の半径方向において円形の形状（または任意の形状）になるように、積み重ねられる。各柱状部２’は、毛５’またはコームからなる。毛５’およびコームはそれぞれ、各柱状部２’に挿入される突起部７’を有する。毛５’またはコームは、各柱状部２’上で、それらの間に等しい距離または異なる距離をあけて、離間する。
【００１９】
本発明の第１の実施形態と同じように、本発明の第２の実施形態による化粧品アプリケーターブラシ１’では、複数の柱状部２’は、不規則に積み重ねられて、アプリケーターブラシ１’のジグザグ効果を示し、客にとっての動作能力を高める。特定の数の柱状部がいかなる毛５’またはコームも有しないことが可能である。例えば、本発明の第２の実施形態による化粧品アプリケーターブラシ１’は、ボリュームを出す、カールさせる、長くするなどの効果をもたらす上で、優れている。
【００２０】
図２では、突起部７’は、図１に示すシャフトを形成するように重ねられる。重ねられた突起部７’は、円形、正方形、三角形などの形状をとり得る。突起部７’は、ロック方法、機械的方法、または、組立中の処置（糊、レーザー、熱、釘、ステープルなど）によって互いに重ねられ得る。突起部７’は、ジグザグ効果を形成するために横方向に見たときに突出部のでこぼこ（irregularity）を形成するため、重ねられたときに水平になる必要はない。突出部で構成される突起部７’は、プラスチック射出成形、レーザー挿入（laser insertion）（歯ブラシの毛）、糊、熱、ステープルなどによって、製造される。突起部７’のデザインは、図２に示すデザインに制限されない。突起部７’のデザインは、各柱状部２’にしっかりと挿入され得るようにすることが好ましい。
【００２１】
化粧品アプリケーターブラシ１’は、化粧品アプリケーターブラシ１’の上部に位置する、円錐体８’を含み得る。円錐体８’のデザインは、図２に示すデザインに制限されない。円錐体８’は、複数の柱状部２’が互いの間で動くのを防ぎ、複数の柱状部２’がしっかり位置づけられるのを確実にする。円錐体８’は、組立後に別に製造され得る。
【００２２】
化粧品アプリケーターブラシ１’は、円錐体８’を含まなくてもよく、アプリケーターブラシ１’の上部がその端部に向かってテーパー状になるように設計され得る。
【００２３】
図３〜図１２は、第２の実施形態による、シャフトがない横方向突出部の不規則な整列を利用した化粧品アプリケーターブラシのさまざまな実施例を示す。
【００２４】
本発明の利点は、前記の説明から当業者には明らかであろう。
【００２５】
例えば、本発明は、対称的なユニットのみに制限されない、化粧品アプリケーターを提供する。本発明は、各柱状部または毛／コームが１つの色に制限されない、化粧品アプリケーターを提供する。代わりに、本発明は、さまざまな色の組み合わせ／パターンを備え、視覚的に魅力的な化粧品ブラシを作り出す、化粧品アプリケーターを提供する。さらに、本発明は、各柱状部の形状、サイズ、および材料の選択に基づいて客のニーズに応じたさまざまな機能を実行することができる、化粧品アプリケーターを提供する。例えば、化粧品アプリケーター（cosmetic application）は、コーム、長い毛、短い毛、歯ブラシなどといった異なる特徴を有する各柱状部を有し得る。
【００２６】
さらに、本発明は、溶接（超音波、振動、レーザー、スピン、赤外線、ホットプレート、熱）、機械的方法、ステープル留め、釘、接着、オーバーモールド、バイインジェクション、垂直型射出成形（vertical type injection molding）などといった、自動化プラスチック組み立て技術によって製造され得る、化粧品アプリケーターを提供する。したがって、化粧品アプリケーターを、客のニーズを満たすように経済的かつ能率的に製造することが可能である。
【００２７】
さらに、本発明は、柱状部を毛／コームと不規則に整列させることができる、化粧品アプリケーターを提供し、したがって、マスカラ液を均一に塗って保管することができる。
【００２８】
したがって、本発明の広い発明概念から逸脱せずに、前述した実施形態に変更または改変を行い得ることが、当業者によって認識されるであろう。したがって、本発明は、本明細書に記載する特定の実施形態に制限されず、特許請求の範囲に定めるような発明の範囲および趣旨に含まれるすべての変更および改変を含むことが意図されていることを、理解されたい。
【００２９】
〔実施の態様〕
（１）  化粧品アプリケーターブラシにおいて、
複数の柱状部と、
シャフトと、
を含み、
前記シャフトは、前記シャフトの外周の周りに複数の開口部分を含み、前記複数の開口部分は、前記外周の周りで、前記シャフトの半径方向に離間しており、
前記複数の柱状部はそれぞれ、毛またはコームを含む、化粧品アプリケーターブラシ。
（２）  実施態様１に記載の化粧品アプリケーターブラシにおいて、
前記毛またはコームはそれぞれ、突起部を有し、前記突起部は、それらの間に等しい距離または異なる距離をあけて前記複数の柱状部に挿入されている、化粧品アプリケーターブラシ。
（３）  実施態様１に記載の化粧品アプリケーターブラシにおいて、
前記シャフトの前記外周の周りの前記複数の開口部分の数は、偶数および奇数の両方である、化粧品アプリケーターブラシ。
（４）  実施態様１に記載の化粧品アプリケーターブラシにおいて、
前記シャフトの前記外周の特定の部分は、いかなる開口部分も、いかなる柱状部も有しない、化粧品アプリケーターブラシ。
（５）  実施態様１に記載の化粧品アプリケーターブラシにおいて、
前記複数の柱状部はそれぞれ、同じデザインを有しない、化粧品アプリケーターブラシ。
【００３０】
（６）  実施態様１に記載の化粧品アプリケーターブラシにおいて、
前記複数の柱状部は、前記シャフトの前記開口部分に不規則に挿入されて、前記化粧品アプリケーターブラシのジグザグ効果を示す、化粧品アプリケーターブラシ。
（７）  実施態様１に記載の化粧品アプリケーターブラシにおいて、
前記シャフトの上部に位置する円錐体をさらに含む、化粧品アプリケーターブラシ。
（８）  実施態様１に記載の化粧品アプリケーターブラシにおいて、
前記シャフトの上部は、前記シャフトの端部に向かってテーパー状である、化粧品アプリケーターブラシ。
（９）  化粧品アプリケーターブラシにおいて、
複数の柱状部を含み、
前記複数の柱状部は、化粧品アプリケーターが前記化粧品アプリケーターブラシの半径方向に円形の形状を有するように前記化粧品アプリケーターを形成するよう、積み重ねられ、
前記複数の柱状部はそれぞれ、毛またはコームを含む、化粧品アプリケーターブラシ。
（１０）  実施態様９に記載の化粧品アプリケーターブラシにおいて、
前記毛またはコームはそれぞれ、突起部を有し、前記突起部は、それらの間に等しい距離または異なる距離をあけて前記複数の柱状部に挿入されている、化粧品アプリケーターブラシ。
【００３１】
（１１）  実施態様９に記載の化粧品アプリケーターブラシにおいて、
前記複数の柱状部はそれぞれ、同じデザインを有しない、化粧品アプリケーターブラシ。
（１２）  実施態様９に記載の化粧品アプリケーターブラシにおいて、
前記複数の柱状部は、互いと不規則に積み重ねられて、前記化粧品アプリケーターブラシのジグザグ効果を示す、化粧品アプリケーターブラシ。
（１３）  実施態様９に記載の化粧品アプリケーターブラシにおいて、
前記化粧品アプリケーターブラシの上部に位置する円錐体をさらに含む、化粧品アプリケーターブラシ。
（１４）  実施態様９に記載の化粧品アプリケーターブラシにおいて、
前記化粧品アプリケーターブラシの上部は、その端部に向かってテーパー状である、化粧品アプリケーターブラシ。
【図面の簡単な説明】
【００３２】
【図１】第１の実施形態による、シャフトを備える、横方向突出部の不規則な整列を利用した化粧品アプリケーターブラシの図である。図１は、開口部分を備えるシャフト、毛／コームおよび突起部を備える柱状部、ならびに柱状部が不規則に整列された化粧品アプリケーターの図からなる。
【図２】第２の実施形態による、シャフトなしの、横方向突出部の不規則な整列を利用した化粧品アプリケーターブラシの図である。図２は、毛／コームおよび突起部を備える柱状部、ならびに、柱状部がシャフトなしで不規則に整列された化粧品アプリケーターの図からなる。
【図３】第２の実施形態による、シャフトなしの、横方向突出部の不規則な整列を利用した化粧品アプリケーターブラシの実施例を示す。
【図４】第２の実施形態による、シャフトなしの、横方向突出部の不規則な整列を利用した化粧品アプリケーターブラシの別の実施例を示す。
【図５】第２の実施形態による、シャフトなしの、横方向突出部の不規則な整列を利用した化粧品アプリケーターブラシの別の実施例を示す。
【図６】第２の実施形態による、シャフトなしの、横方向突出部の不規則な整列を利用した化粧品アプリケーターブラシの別の実施例を示す。
【図７】第２の実施形態による、シャフトなしの、横方向突出部の不規則な整列を利用した化粧品アプリケーターブラシの別の実施例を示す。
【図８】第２の実施形態による、シャフトなしの、横方向突出部の不規則な整列を利用した化粧品アプリケーターブラシの別の実施例を示す。
【図９】第２の実施形態による、シャフトなしの、横方向突出部の不規則な整列を利用した化粧品アプリケーターブラシの別の実施例を示す。
【図１０】第２の実施形態による、シャフトなしの、横方向突出部の不規則な整列を利用した化粧品アプリケーターブラシの別の実施例を示す。
【図１１】第２の実施形態による、シャフトなしの、横方向突出部の不規則な整列を利用した化粧品アプリケーターブラシの別の実施例を示す。
【図１２】第２の実施形態による、シャフトなしの、横方向突出部の不規則な整列を利用した化粧品アプリケーターブラシの別の実施例を示す。
【図１】
2020500594.tif 000003
【図２】
2020500594.tif 000004
【図３】
2020500594.tif 000005
【図４】
2020500594.tif 000006
【図５】
2020500594.tif 000007
【図６】
2020500594.tif 000008
【図７】
2020500594.tif 000009
【図８】
2020500594.tif 000010
【図９】
2020500594.tif 000011
【図１０】
2020500594.tif 000012
【図１１】
2020500594.tif 000013
【図１２】
2020500594.tif 000014
【国際調査報告】
2020500594.tif 000015